(57)【要約】【課題】  デジタルビデオ信号処理装置において、アナログビデオ出力信号のゲイン調整を自動的かつ確実に行うようにする。【解決手段】  映像入出力端子２に外部映像機器が接続された状態を自動的に検知したとき、コントロール回路９からビデオ信号入出力回路Ａのアナログビデオアンプ１を制御して、その増幅ゲインを変更することで、このアナログビデオ信号の信号出力レベルを自動調整する。また、コントロール回路９からは、Ｄ／Ａ変換器５の調整抵抗Ｒ４を制御することによってアナログビデオ信号のゲインを変更することも可能である。【選択図】  図１
2007074203.tif 000002
【特許請求の範囲】
【請求項１】
映像入力端子からアナログビデオ信号を取り込み、デジタル変換して処理する機能と、デジタルビデオ信号をアナログ変換して映像出力端子から出力する機能とを備えたデジタルビデオ信号処理装置において、
デジタルビデオ出力信号のブランキング期間にテスト信号を挿入して出力するテスト信号挿入部と、
前記テスト信号が挿入されたデジタルビデオ出力信号をアナログビデオ信号に変換するＤ／Ａ変換部と、
前記Ｄ／Ａ変換部からのアナログビデオ信号を増幅して、前記映像出力端子に出力する増幅部と、
前記映像入力端子および前記増幅部の出力端子に接続され、これらからのアナログビデオ信号をデジタル変換するＡ／Ｄ変換部と、
前記テスト信号挿入部から前記Ｄ／Ａ変換部、前記増幅部、および前記Ａ／Ｄ変換部を経由して入力されたデジタルビデオ信号から前記テスト信号を抽出し、その大きさを予め規定されたデータ値と比較する比較部と、
前記映像出力端子に外部映像機器が接続されたか否かを検知する接続検知部と、
前記接続検知部により前記外部映像機器の接続が検知された状態で、前記比較部での比較結果に応じて前記増幅部における増幅ゲインを調整するゲイン制御部と、
を有することを特徴とするデジタルビデオ信号処理装置。
【請求項２】
前記ゲイン制御部は、前記接続検知部により前記外部映像機器の接続が検知すると、前記増幅部における増幅ゲインの自動調整を開始することを特徴とする請求項１記載のデジタルビデオ信号処理装置。
【請求項３】
前記Ｄ／Ａ変換部は、アナログ変換したビデオ信号のゲインを変更可能な調整回路を備え、
前記ゲイン制御部は、前記接続検知部により前記外部映像機器の接続が検知された状態で、前記比較部での比較結果に応じて前記増幅部および前記調整回路における増幅ゲインを調整することを特徴とする請求項１記載のデジタルビデオ信号処理装置。
【請求項４】
前記増幅部および前記調整回路の少なくとも一方は、輝度信号と色差信号の各ゲインを個別に調整可能であり、さらに、前記増幅部は、輝度信号と色差信号との合成信号に対するゲイン調整が可能であることを特徴とする請求項３記載のデジタルビデオ信号処理装置。
【請求項５】
前記デジタルビデオ信号処理装置における各種設定状態を表示した画像信号を出力する表示処理部を備え、
前記比較部は、前記表示処理部で設定されている表示言語に応じて前記データ値を変更する、
ことを特徴とする請求項１記載のデジタルビデオ信号処理装置。
【請求項６】
位置情報を検知する位置検知回路を備え、
前記比較部は、前記位置検知回路で特定された位置情報に応じて前記データ値を変更する、
ことを特徴とする請求項１記載のデジタルビデオ信号処理装置。
【請求項７】
前記映像出力端子と前記映像入力端子とが兼用になっていることを特徴とする請求項１記載のデジタルビデオ信号処理装置。
【請求項８】
映像入力端子からアナログビデオ信号を取り込み、デジタル変換して処理する機能と、デジタルビデオ信号をアナログ変換して映像出力端子から出力する機能とを備えたデジタルビデオ信号処理装置において、前記映像出力端子からの出力信号レベルを調整するビデオ信号調整方法であって、
テスト信号挿入部が、デジタルビデオ出力信号のブランキング期間にテスト信号を挿入し、
Ｄ／Ａ変換部が、前記テスト信号が挿入されたデジタルビデオ出力信号をアナログビデオ信号に変換し、
増幅部が、前記Ｄ／Ａ変換部からのアナログビデオ信号を増幅して、前記映像出力端子に出力し、
前記映像入力端子からのアナログビデオ入力信号をデジタル変換するＡ／Ｄ変換部が、前記増幅部からのアナログビデオ信号をデジタル変換し、
比較部が、前記テスト信号挿入部から前記Ｄ／Ａ変換部、前記増幅部、および前記Ａ／Ｄ変換部を経由して入力されたデジタルビデオ信号から前記テスト信号を抽出して、その大きさを予め規定されたデータ値と比較し、
接続検知部が、前記映像出力端子に外部映像機器が接続されたか否かを検知し、
前記接続検知部により前記外部映像機器の接続が検知された状態で、ゲイン制御部が、前記比較部での比較結果に応じて前記増幅部における増幅ゲインを調整する、
ことを特徴とするビデオ信号調整方法。
【発明の詳細な説明】
【技術分野】
【０００１】
本発明は、デジタルビデオ信号処理装置およびビデオ信号調整方法に関し、特に、映像入力端子からアナログビデオ信号を取り込み、デジタル変換して処理する機能と、デジタルビデオ信号をアナログ変換して映像出力端子から出力する機能とを備えたデジタルビデオ信号処理装置、およびこの装置におけるビデオ信号調整方法に関する。
【背景技術】
【０００２】
デジタルビデオデッキなどのビデオ機器は、デジタル信号をデジタルアナログ変換（以下、Ｄ／Ａ変換という。）して映像出力端子から出力するにあたって、ビデオ信号をアナログビデオアンプで増幅するビデオ信号出力回路を備えている。また、このようなビデオ機器などでは、ビデオ信号の入力端子とビデオ信号の出力端子とを兼用するビデオ入出力端子を備えている。ビデオ入出力端子を備えていないビデオ機器であっても、ＡＤ変換部、またはマイクロコントローラのＡＤポートを備えているものもある。
【０００３】
このようなビデオ機器では、一般的にビデオ信号出力回路は集積回路として構成されていて、しかも映像出力用のアンプゲインは２ｄＢ程度のばらつきをもつ。そのため、こうした集積回路の製造工程では、アンプゲインのレベルを測定器で読み取りながら、あらかじめ定められた規定値に調整してから出荷するようにしていた。この場合に、ビデオ機器が記録し再生しようとするテレビ映像方式がＮＴＳＣ（National Television Standards Committee）方式か、あるいはＰＡＬ（Phase Alternation by Line）方式かに応じて、アンプゲインの調整レベルが異なる。したがって、ビデオ機器のビデオ信号出力回路では、その仕向け地に応じてそれぞれの規定値に調整しなければならない。
【０００４】
従来、こうした出力レベルの調整には、ボリュームなどでの調整が必要であって、工場出荷の過程で人手がかかってコストがかさんでしまうだけでなく、人手による調整であることから、調整結果がばらついてしまうといった問題があった。
【０００５】
こうした問題を解決するため、ビデオ出力レベルを自動調整する機能を備えたデジタル信号処理装置が考えられていた（たとえば、特許文献１参照）。図８は、このような従来のデジタル信号処理装置の構成を示すブロック図である。
【０００６】
このデジタル信号処理装置は、ラインに出力される信号をデジタルアナログ変換するデジタルアナログ変換器（以下、Ｄ／Ａ変換器という。）１０５と、ラインから入力される信号を増幅する電圧制御増幅器（ＶＣＡ）１０７と、増幅された信号をアナログデジタル変換するアナログデジタル変換器（以下、Ａ／Ｄ変換器という。）１０８と、デジタル変換された信号に関するレベルを検出するデジタル信号処理回路１０６と、検出された信号に関するレベルに基づいて第１制御電圧を発生させるコントロール回路１０９とを備え、発生させた第１制御電圧にしたがってＶＣＡ１０７の増幅度を可変し、上記信号に関するレベルを一定にして信号処理を行うデジタル信号処理装置において、Ｄ／Ａ変換器１０５の変換特性はＤ／Ａ変換器１０５の制御端子に入力される第２制御電圧にしたがって変更自在であり、コントロール回路１０９は、検出された信号に関するレベルに基づいてＤ／Ａ変換器１０５の制御端子に入力される第２制御電圧を可変することを特徴とするものである。
【０００７】
ライン出力時、デジタル信号処理回路１０６から出力されるパラレルビデオデータは、Ｄ／Ａ変換器１０５によりアナログ信号に変換されると、ＬＰＦ（Low Pass Filter）やＢＰＦ（Band Pass Filter）などの信号処理回路１０４で不要なノイズが除去され、出力バッファ１０１を通じてラインＩ／Ｏ（Input/Output）１０２のピンジャックから出力される。
【０００８】
また、このとき、出力バッファ１０１から出力された同じ信号はライン入力用の入力バッファ１０３を介してＶＣＡ１０７に入力される。ＶＣＡ１０７はスイッチ１１１によりそのコントロール端子に電池１１２が接続されているので、電池１１２で与えられた電圧に対応するゲインで入力信号を増幅する。
【０００９】
ＶＣＡ１０７で増幅された信号は、Ａ／Ｄ変換器１０８によりデジタルパラレルデータ変換されるが、このとき、デジタル信号処理回路１０６内のシンクレベル検出回路（図示せず）によって検出されるシンクレベルがコントロール回路１０９に出力される。
【００１０】
コントロール回路１０９は、ＥＥＰＲＯＭ（Electrically Erasable and Programmable Read Only Memory）からなるメモリ１１０に記憶されたデータと入力されたシンクレベルとを比較して演算し、ゲインコントロール電圧を発生させる。発生したゲインコントロール電圧は、Ｄ／Ａ変換器１０５のコントロール端子に入力される。
【００１１】
Ｄ／Ａ変換器１０５は、ゲインコントロール電圧にしたがって、そのＤ／Ａ変換特性に応じた動作を行ってゲインを可変するように動作し、コントロール回路１０９はラインＩ／Ｏ１０２から出力されるシンクレベルが一定になるように動作する。
【特許文献１】特開平１１−１３６０５８号公報（段落番号［００１５］〜［００２０］および図１）
【発明の開示】
【発明が解決しようとする課題】
【００１２】
上記の図８に示した従来のデジタル信号処理装置では、ゲインコントロール電圧に応じてＤ／Ａ変換器１０５のゲインを可変することにより、ラインＩ／Ｏ１０２から出力される信号レベルの自動調整が行われている。ところが、このデジタル信号処理装置では電源投入直後だけレベル調整しても、実際にラインＩ／Ｏ１０２に相手機器が接続されると、入力インピーダンスのばらつき環境が変化するので、それまでに実行された信号レベルの調整は意味がなくなってしまう。
【００１３】
また、上記装置では、信号レベルの調整の基準となるデータは固定値としてメモリ１１０に記憶されていた。しかし、デジタル信号処理装置の外部から供給されるビデオ信号や、あるいはデジタル信号処理装置から外部に出力されるビデオ信号は、一般に当該装置が使用される現地ごとに異なる信号方式となっている。そのため、あらかじめメモリ１１０に格納する基準データを、その商品出荷先で採用されている信号方式（ＮＴＳＣ方式であるかＰＡＬ方式であるか）に対応させておく必要があった。
【００１４】
さらに、出力バッファ１０１から出力された同じビデオ信号がライン入力用の入力バッファ１０３を介してＡ／Ｄ変換器１０８に戻されているが、Ａ／Ｄ変換器１０８ではデジタルパラレルデータ変換する前にＶＣＡ１０７によって信号増幅される。そのため、このＶＣＡ１０７で発生するゲイン誤差の補正、パラレルデータ変換されたクロマ信号のゲイン調整などが不可能になるといった問題があった。
【００１５】
本発明はこのような点に鑑みてなされたものであり、アナログビデオ出力信号のゲイン調整を自動的かつ確実に行うことができるデジタルビデオ信号処理装置を提供することを目的とする。
【００１６】
また、本発明の他の目的は、アナログビデオ出力信号のゲイン調整を自動的かつ確実に行うことができるビデオ信号調整方法を提供することである。
【課題を解決するための手段】
【００１７】
本発明では、上記問題を解決するために、映像入力端子からアナログビデオ信号を取り込み、デジタル変換して処理する機能と、デジタルビデオ信号をアナログ変換して映像出力端子から出力する機能とを備えたデジタルビデオ信号処理装置において、デジタルビデオ出力信号のブランキング部分にテスト信号を挿入して出力するテスト信号挿入部と、前記テスト信号が挿入されたデジタルビデオ出力信号をアナログビデオ信号に変換するＤ／Ａ変換部と、前記Ｄ／Ａ変換部からのアナログビデオ信号を増幅して、前記映像出力端子に出力する増幅部と、前記映像入力端子および前記増幅部の出力端子に接続され、これらからのアナログビデオ信号をデジタル変換するＡ／Ｄ変換部と、前記テスト信号挿入部から前記Ｄ／Ａ変換部、前記増幅部、および前記Ａ／Ｄ変換部を経由して入力されたデジタルビデオ信号から前記テスト信号を抽出し、その大きさを予め規定されたデータ値と比較する比較部と、前記映像出力端子に外部映像機器が接続されたか否かを検知する接続検知部と、前記接続検知部により前記外部映像機器の接続が検知された状態で、前記比較部での比較結果に応じて前記増幅部における増幅ゲインを調整するゲイン制御部とを有することを特徴とするデジタルビデオ信号処理装置が提供される。
【００１８】
このようなビデオ信号処理装置では、テスト信号挿入部によりデジタルビデオ出力信号のブランキング部分にテスト信号が挿入され、そのビデオ信号がＤ／Ａ変換部、増幅部を介してアナログビデオ信号として映像出力端子から出力されるとともに、そのアナログビデオ信号が、映像入力端子からのアナログビデオ入力信号をデジタル変換するＡ／Ｄ変換部によって再びデジタル変換されて、比較部に供給される。比較部は、入力されたデジタルビデオ信号からテスト信号を抽出して、その大きさを予め規定されたデータ値と比較し、接続検知部は、映像出力端子に外部映像機器が接続されたか否かを検知する。そして、接続検知部により外部映像機器の接続が検知された状態で、ゲイン制御部が、比較部での比較結果に応じて増幅部における増幅ゲインを調整する。
【発明の効果】
【００１９】
本発明のデジタルビデオ信号処理装置によれば、テスト信号を挿入したアナログビデオ信号を、映像出力端子から出力するとともに、入力信号用のＡＤ変換部によって再びデジタル変換し、テスト信号を抽出する。そして、映像出力端子に外部接続機器が接続された状態で、テスト信号と規定されたデータ値との比較結果に応じて増幅部における増幅ゲインを調整する。これにより、アナログビデオ信号の出力先の外部接続機器が接続された状態で、その出力信号の増幅回路におけるビデオ出力ゲインのばらつきを自動調整することができる。また、出力先の外部接続機器のインピーダンスのばらつきがあったり、環境による信号レベルの変動があった場合でも、それらを考慮したビデオ出力ゲインの自動調整ができる。
【発明を実施するための最良の形態】
【００２０】
以下、図面を参照してこの発明の実施の形態について説明する。図１は、第１の実施の形態に係るデジタルビデオ信号処理装置の全体構成を示すブロック図である。
このデジタルビデオ信号処理装置は、アナログビデオアンプ１を含むビデオ信号入出力回路Ａを備え、その映像入出力端子２からアナログビデオ信号を取り込んでデジタル変換する。デジタル変換したビデオ信号は、たとえば図示しない磁気ディスクなどの記憶手段に記録する。あるいは、ビデオ信号を基に図示しないモニタに表示するための表示信号を生成してもよい。また、このデジタルビデオ信号処理装置は、たとえば記憶手段に記録されたデジタルビデオ信号をアナログ変換し、アナログビデオアンプ１で所定の信号レベルまで増幅してから、図示しない外部映像機器に対して出力する。
【００２１】
ビデオ信号入出力回路Ａでは、アナログビデオアンプ１で増幅されたビデオ信号がスイッチ回路ＳＷ１、コンデンサＣ１、および抵抗Ｒ１を介して映像入出力端子２から出力される。また、入力バッファ３はコンデンサＣ２を介して映像入出力端子２と抵抗Ｒ１との接続点に接続されていて、この入力バッファ３には外部映像機器から映像入出力端子２を介して入力されるアナログビデオ信号だけでなく、映像入出力端子２から出力されるアナログビデオ信号もまた帰還されるように構成されている。なお、図１では外部映像機器の終端抵抗Ｒ２のみを図示し、外部映像機器自体は図示を省略している。
【００２２】
ビデオ信号入出力回路Ａには、アナログビデオアンプ１の入力側にフィルタ回路４が接続されていて、このフィルタ回路４に、Ｄ／Ａ変換器５を介してアナログ変換されたベースバンド処理回路６からのビデオ信号が供給されている。このベースバンド処理回路６は、所定のベースバンド処理が施されたデジタルビデオ信号をＤ／Ａ変換器５に出力するとともに、ビデオレベル調整モードに設定されたときに後述する所定のテスト信号を生成して、ビデオ信号のブランキング部分に挿入して出力するように構成されている。
【００２３】
ビデオ信号入出力回路Ａの入力バッファ３は、スイッチ回路ＳＷ２を介してＡＧＣ（オートゲインコントロール）／ＡＣＣ（オートクロマコントロール）回路７と接続可能であって、ビデオレベル調整モードのときにはスイッチ回路ＳＷ２が図示した状態に切り替えられ、入力バッファ３が直接にＡ／Ｄ変換器８に接続される。そして、このビデオ信号入出力回路Ａがビデオ入力モードに設定されると、スイッチ回路ＳＷ２はＡＧＣ／ＡＣＣ回路７側に切り替わり、入力バッファ３がＡＧＣ／ＡＣＣ回路７を介してＡ／Ｄ変換器８に接続された状態に変化するように構成されている。
【００２４】
コントロール回路９は、ＲＯＭ構成のメモリ１０などと接続され、比較回路９ａとしての機能を有するマイクロコントローラとして構成され、ビデオレベル調整モード時には上述したビデオ信号入出力回路Ａのスイッチ回路ＳＷ１，ＳＷ２を制御するとともに、アナログビデオアンプ１およびＤ／Ａ変換器５のゲインを調整する機能を備えている。また、検波回路１１はＡ／Ｄ変換器８の後段に接続されており、ここにはＤ／Ａ変換器５からＡ／Ｄ変換器８に２つのスイッチ回路ＳＷ１，ＳＷ２を経由して帰還されたビデオ信号がデジタル信号に変換されて供給される。
【００２５】
検波回路１１では、帰還されたデジタルビデオ信号に含まれるテスト信号が抽出され、その検波データ値がコントロール回路９に出力されて、メモリ１０に格納されたデータ値との間で比較される。さらにＥＶＲ（電子ボリューム）９ｂは、コントロール回路９における比較回路９ａでの比較結果によって制御される電子ボリューム調整回路であって、ここからビデオ信号入出力回路Ａの調整抵抗Ｒ３とＤ／Ａ変換器５の調整抵抗Ｒ４を制御して、その抵抗値を変更するように構成されている。
【００２６】
タイミングジェネレータ（ＴＧ）１２は、ベースバンド処理回路６、検波回路１１、およびコントロール回路９と接続され、テスト信号をベースバンド処理回路６から出力するタイミングと、検波回路１１に帰還したテスト信号を読み取って検波するタイミングとを揃えるようにタイミング信号を出力し、かつ比較回路９ａでの比較動作のタイミングを設定している。ＧＰＳ（Global Positioning System）部１３もまたコントロール回路９と接続され、図示しないアンテナを通じてＧＰＳ衛星から受信した電波に基づき、このデジタルビデオ信号処理装置が使用されている位置を特定するための位置情報を生成する。
【００２７】
コントロール回路９には、さらに表示部１４および操作ＳＷ部１５が接続されている。操作ＳＷ部１５は、表示部１４において使用される言語の設定や、メニュー設定などの操作入力を受け付けるものである。表示部１４は、このデジタルビデオ信号処理装置における各種設定状態などを表示する表示画像信号を、コントロール回路９からの信号に基づいて出力する。この表示部１４では、操作ＳＷ部１５への操作に応じてモード設定などが変更されたときや、さらにビデオ入出力や自動調整などのモードが切り替わったときなどに、それらの変更・切り替えを検知したコントロール回路９を介して所定の言語による状態表示が行われるように構成されている。
【００２８】
なお、上述したビデオ信号入出力回路Ａは、その映像入出力端子２に外部映像機器のプラグが接続されたことを自動的に検知し、コントロール回路９に通知する検知回路（図示せず）を備えている。
【００２９】
このデジタルビデオ信号処理装置では、コントロール回路９からビデオ信号入出力回路Ａのアナログビデオアンプ１を制御して、その増幅ゲインを変更することで、映像入出力端子２に外部映像機器が接続された状態を自動的に検知したとき、このアナログビデオ信号の信号出力レベルを自動調整するようにしている。また、コントロール回路９からは、Ｄ／Ａ変換器５の調整抵抗Ｒ４を制御することによってアナログビデオ信号のゲインを変更することも可能である。アナログビデオ出力信号のレベル検波用とアナログビデオ入力信号の処理用とで、Ａ／Ｄ変換器８などの信号系の回路を共用することで、回路規模や製造コストの増大を招くことなく、出力レベルを適正化することができる。
【００３０】
つぎに、このような構成のデジタルビデオ信号処理装置の動作について説明する。
図２は、図１のビデオ信号入出力回路の詳細構成を示す回路図である。
ビデオ信号入出力回路Ａには、アナログビデオ信号を供給するためのＤ／Ａ変換器５と外部から入力されたアナログビデオ信号をデジタル信号に変換するためのＡ／Ｄ変換器８が接続されている。Ｄ／Ａ変換器５はＹ信号のレベル調整用抵抗Ｒ４１と、Ｃ信号のレベル調整用抵抗Ｒ４２を備えていて、それぞれの抵抗値がＥＶＲ９ｂからの制御信号によって調整される。
【００３１】
ビデオレベル調整モードに入ると、Ｄ／Ａ変換器５にはベースバンド処理回路６からテスト信号が挿入されたデジタルビデオ信号が出力される。このデジタルビデオ信号は、Ｙ（輝度信号）信号とＣ（クロマ信号）信号からなり、それぞれに対応するテスト信号が含まれている。そして、これらのテスト信号は、デジタルビデオ信号とともにＤ／Ａ変換器５でアナログ信号に変換される。なお、これらのテスト信号は、後述するように外部のモニタには写らない垂直ブランキング期間に挿入され、かつ必要に応じて出力される。
【００３２】
このベースバンド処理回路６は、テスト信号の生成だけでなく、デジタル信号を圧縮して記録し、再生時に伸張するなどの機能や、デジタル信号のシャフリング、重み付けなど、記録・再生時の信号処理機能、各種信号のインタフェース機能なども有している。
【００３３】
ビデオＩＯ回路Ｂは、図１に示すアナログビデオアンプ１、フィルタ回路４、およびスイッチ回路ＳＷ１に相当する出力バッファ回路Ｂ１と、入力バッファ３、ＡＧＣ／ＡＣＣ回路７、およびスイッチ回路ＳＷ２に相当する入力バッファ回路Ｂ２を含む集積回路として構成される。このビデオＩＯ回路Ｂでは、Ｄ／Ａ変換器５からアナログ信号として供給されるＹ信号、Ｃ信号から（Ｙ＋Ｃ）のコンポジット信号が生成される。通常は、Ｙ信号がローパスフィルタ（ＬＰＦ）を、Ｃ信号がバンドパスフィルタ（ＢＰＦ）を通過する。
【００３４】
出力バッファ回路Ｂ１では、アナログビデオアンプ１の機能により、調整抵抗Ｒ３の抵抗値を微調整するＥＶＲ９ｂからの制御信号に応じて、Ｄ／Ａ変換器５からのＹ信号およびＣ信号に対するゲインが調整され、さらにゲイン調整後のＹ信号およびＣ信号から（Ｙ＋Ｃ）信号が合成される。ただし、実際には（Ｙ＋Ｃ）信号の合成時にゲインが低下するので、この合成の前段または後段に、６ｄＢ程度のゲイン調整が可能なアンプが設けられる。
【００３５】
ビデオ出力モードに設定されているとき、図１に示すスイッチ回路ＳＷ１によってビデオＩＯ回路ＢがコンデンサＣ１１〜Ｃ１３と接続され、ビデオ入力モードに設定されているとき、コンデンサＣ１１〜Ｃ１３は接地される。したがって、ビデオ入力信号は抵抗Ｒ１１〜Ｒ１３により分圧され、整合をとることができる。また、ビデオ出力信号は相手の外部映像機器の入力抵抗Ｒ２１〜Ｒ２３により分圧され、整合される。
【００３６】
コントロール回路９では、映像入出力端子２に外部映像機器が接続された状態を自動的に検知するために、そのジャックにプラグが刺さっているかどうかを検出しており、検出結果に応じて自動調整モードとなる。たとえば、ビデオ出力モードの状態でプラグが検出されれば、自動調整モードに切り替わる。自動調整モードでは、外部映像機器の終端抵抗Ｒ２と抵抗Ｒ１とで分圧された信号は入力バッファ３から出力された後、スイッチ回路ＳＷ２を介してＡ／Ｄ変換器８へ直接入力される。
【００３７】
図３は、デジタルビデオ信号処理装置で生成されるテスト信号の一例を示す信号波形図である。
図３（Ａ）には、カラー映像信号の１水平周期（１Ｈ）分の信号を示している。この図３（Ａ）に示すように、テスト信号は、Ｙ信号調整用とＣ信号調整用の各期間に分割され、１Ｈ期間において水平同期信号ＨＤおよびバースト信号の後に順次挿入される。色差信号によりゲインが調整される場合には、Ｃ信号調整用のテスト信号は、たとえばＲ−Ｙ信号用とＢ−Ｙ信号用の各期間に分割される。また、図３（Ｂ）に示すように、上記各テスト信号は、表示画面に現れないように垂直ブランキング期間に挿入され、その出力時間はたとえば１秒程度の極短い時間とされる。
【００３８】
各テスト信号は一定のレベルとされ、この例ではビデオ出力の最大信号レベルとされる。この場合、ＮＴＳＣ方式では、Ｙ信号用テスト信号のレベルは１Ｖｐｐ（ペデスタルからの最大レベル７１４ｍＶ＋シンクレベル２８６ｍＶ）、Ｃ信号用テスト信号のレベルは７１４ｍＶとなる。また、ＰＡＬ方式では、Ｙ信号用テスト信号のレベルは１Ｖｐｐ（ペデスタルからの最大レベル７００ｍＶ＋シンクレベル３００ｍＶ）、Ｃ信号用テスト信号のレベルは７００ｍＶとなる。
【００３９】
ここで、図２に戻って説明する。入力バッファ回路Ｂ２を介して帰還してきたテスト信号は、Ａ／Ｄ変換器８でデジタル信号に変換され、ＴＧ１２からのタイミング信号に基づき、検波回路１１によりその必要な部分だけが検波される。なお、出力した元のデジタルビデオ信号内のテスト信号の位相と、帰還されたテスト信号の位相とが、フィルタ回路４などのアナログ回路の通過に伴う遅延によりずれて、検波タイミングが狂うことが考えられる。このため、検波回路１１では、上記遅延に応じた位相補正値をあらかじめ確認してＲＯＭデータとして用意しておき、検波時にはこのＲＯＭデータを基に検波タイミングを補正してもよい。あるいは、デジタル変換後のビデオ信号から同期信号の位置を読み取り、必要な期間のテスト信号を検波するようにしてもよい。
【００４０】
コントロール回路９では、比較回路９ａによりテスト信号の検波レベルとメモリ１０に記憶された規定レベルとが比較され、テスト信号のレベルが規定レベルとなるように、Ｄ／Ａ変換器５およびアナログビデオアンプ１のゲイン調整が行われる。したがって、ビデオ信号入出力回路Ａを介して接続された外部の外部映像機器が、その環境などによって変化する入力インピーダンスに応じて適切な調整を行うことができる。
【００４１】
コントロール回路９は、たとえば、まず、Ｄ／Ａ変換器５のレベル調整用抵抗Ｒ４１およびＲ４２により、Ｙ信号とＣ信号とを個別に調整してゲイン誤差（たとえば、およそ２ｄＢ）を調整し、その後、ビデオ信号入出力回路Ａの調整抵抗Ｒ３により（Ｙ＋Ｃ）信号のゲイン誤差（たとえば、Ｙ信号に対しておよそ０．５ｄＢ）を調整する。これにより、コンポーネント信号のみならず、コンポジット信号に対しても高精度のゲイン調整を行うことが可能となる。
【００４２】
図４は、図１のデジタルビデオ信号処理装置における調整演算の一例を示す図である。
図４の横軸には、Ｄ／Ａ変換器５からビデオＩＯ回路Ｂに出力されるテスト信号のレベルを示しており、その縦軸には、Ａ／Ｄ変換器８を介して帰還するデジタルビデオ信号に含まれるテスト信号のレベルを示している。Ｔｄはテスト信号の基準となる出力レベルの目標値である。ここでは、信号レベルが大きなテスト信号を用いることで、調整精度を高めることができる。また、テスト信号のアナログ振幅を大きく振ってアナログビデオアンプ１のアンプゲインの調整を行うことにより、短時間のうちに出力レベルをその目標値まで到達するように制御することができる。
【００４３】
図５は、図１のデジタルビデオ信号処理装置で実行される調整制御の流れを示すフローチャートである。
ステップＳＴ１で電源をオンすると、コントロール回路９は、設定されているモードが出力モードかどうかをチェックする（ステップＳＴ２）。デジタルビデオ信号処理装置が出力モードに設定されていると、つぎのステップＳＴ３に進んで、コントロール回路９は、映像入出力端子２にテレビなどのプラグが挿入されているかチェックする。ここで、プラグが検出されていれば自動調整モードに切り替わって、ステップＳＴ４に進み、テスト信号が生成されビデオ信号レベルの調整が開始される。なお、ステップＳＴ３でプラグが検出されない場合は、再びステップＳＴ２に戻る。
【００４４】
デジタルビデオ信号処理装置が入力モードに設定されている場合、ステップＳＴ２からステップＳＴ５に進む。そして、ステップＳＴ６でその後にプラグが検出されると、さらにステップＳＴ７に進んで、コントロール回路９のモードが切り替わって出力モードになったとき、ステップＳＴ４に進んで、テスト信号によるビデオ信号レベルの調整が開始される。調整開始後（ステップＳＴ８）、正常に調整が完了すれば自動調整モードが終了するが、調整が失敗すればステップＳＴ９に進んで、エラー表示が行われる。
【００４５】
このとき、コントロール回路９からエラー内容についての情報が表示部１４に送られる。たとえば、終端抵抗Ｒ２の抵抗値（ビデオ信号の場合は、通常７５オーム）がオープン状態、またはショート状態となって異常値を示すような場合、分圧された電圧値がオープン状態は高め、ショート状態は低めとなる。こうして外部映像機器が異常状態と判断できた場合、コントロール回路９はそのエラー情報を表示部１４に表示させる。この表示部１４では、アナログビデオアンプ１でのゲイン変更結果なども表示できる。
【００４６】
このように、コントロール回路９ではビデオ出力モードでプラグが刺さっていることを検出したときに、テスト信号をビデオ信号のブランキング期間に出力して、ビデオ出力ゲインを自動調整するようにしている。これにより、外部映像機器が接続された状態では、規定に沿ったレベルのアナログビデオ信号を常に出力させることができる。また、ビデオ信号入出力回路Ａでは、プラグが差し込まれていることを検出して、設定モードがビデオ出力モードに切り替わったとき、ビデオ出力ゲインを自動調整するようにしてもよい。したがって、外部映像機器のプラグが抜けているなどの異常状態を検出し、そのエラー状態を表示してユーザに知らせることができる。さらに、ジャックに差し込まれた外部映像機器の入力インピーダンスが異常な状態であるときでも、それを検出して異常状態を知らせることができる。
【００４７】
なお、クレードルに対応しているビデオカメラでは、プラグの検出ではなく、クレードルの取付けを検出することで、外部映像機器の接続の有無を判別してもよい。
図６は、使用される言語とビデオ信号方式との関係を示す図である。
【００４８】
国、あるいは地域毎に選択されているビデオ信号方式は、たとえばＮＴＳＣ方式とＰＡＬ方式とがあって、それぞれの信号方式で信号レベルが異なる。このデジタルビデオ信号処理装置は、コントロール回路９とメモリ１０に、図６に示すような世界の言語データを保存しておき、使用者が表示部１４で表示させる言語を自由に選択できるようにしている。したがって、コントロール回路９では、選択された言語に応じてＮＴＳＣ地域、またはＰＡＬ地域かを判断することで、メモリ１０から対応する信号方式に適合するデータ値を読み出して、テスト信号のレベルを調整することができる。
【００４９】
図６では、日本語以外の言語はいずれも複数の選択可能言語（○で示す。）を含み、出荷時にはそのうちのデフォルト言語（●で示す。）に設定されている。さらに、ＧＰＳ部１３を備えた業務用のビデオカメラなどのデジタルビデオ信号処理装置では、特定された位置情報に応じてコントロール回路９でその地域がＮＴＳＣかＰＡＬ地域かを自動的に判断し、メモリ１０から対応する信号方式に適合するデータ値を読み出すこともできる。
【００５０】
このように、デジタルビデオ信号処理装置のベースバンド処理回路６でテスト信号を生成し、このテスト信号に基づいて接続される相手機器の入力インピーダンスを読み取ることにより、接続された外部映像機器に応じたビデオレベルの制御を行うことができる。
【００５１】
また、たとえば、ジャックに差し込まれた外部映像機器のインピーダンスを検出することにより、その外部映像機器が何であるかを読み取って、外部映像機器に応じた制御を行うこともできる。さらに、たとえばマリンパックに接続されるビデオプラグをジャックに挿入した場合などでは、そのジャックへの挿入を検出したとき省電力モードに入れて、表示パネルの発熱を抑えることもできるが、このように相手機器との間であらかじめ取り決めをしておくことにより、接続した相手側機器に合わせて自動的に出力ゲイン調整を実行することもできる。
【００５２】
図７は、第２の実施の形態に係るデジタルビデオ信号処理装置の全体構成を示すブロック図である。
上述した図１に示す実施の形態では、ビデオ入力と出力の端子とが兼用になっているデジタルビデオ信号処理装置について説明した。しかし、図７に示すデジタルビデオ信号処理装置のように、映像出力端子２１とは別に映像入力端子２２を有するものであっても、アナログビデオアンプ１で増幅されたアナログビデオ信号をスイッチ回路ＳＷ３によって入力バッファ３からＡ／Ｄ変換器８、および検波回路１１に帰還させるように構成することによって、アナログビデオ信号の出力レベルの自動調整が可能である。
【００５３】
なお、以上説明したデジタルビデオ信号処理装置としては、たとえば、デジタルビデオ信号の記録・再生機器（レコーダ機器やビデオカメラなど）、デジタル化したビデオ信号を表示するＬＣＤ（Liquid Crystal Display）などの表示装置、さらには、ＰＣ（パーソナルコンピュータ）などに接続されるビデオボードなどを適用することができる。
【図面の簡単な説明】
【００５４】
【図１】第１の実施の形態に係るデジタルビデオ信号処理装置の全体構成を示すブロック図である。
【図２】図１のデジタルビデオ信号処理装置におけるビデオ信号入出力回路の詳細構成を示す回路図である。
【図３】デジタルビデオ信号処理装置で生成されるテスト信号の一例を示す信号波形図である。
【図４】図１のデジタルビデオ信号処理装置における調整演算の一例を示す図である。
【図５】図１のデジタルビデオ信号処理装置で実行される調整制御の流れを示すフローチャートである。
【図６】使用される言語とビデオ信号方式との関係を示す図である。
【図７】第２の実施の形態に係るデジタルビデオ信号処理装置の全体構成を示すブロック図である。
【図８】従来のデジタル信号処理装置の構成を示すブロック図である。
【符号の説明】
【００５５】
１……アナログビデオアンプ、２……映像入出力端子、３……入力バッファ、４……フィルタ回路、５……Ｄ／Ａ変換器、６……ベースバンド処理回路、７……ＡＧＣ（オートゲインコントロール）／ＡＣＣ（オートクロマコントロール）回路、８……Ａ／Ｄ変換器、９……コントロール回路、９ａ……比較回路、９ｂ……ＥＶＲ（電子ボリューム）、１０……メモリ、１１……検波回路、１２……タイミングジェネレータ（ＴＧ）、１３……ＧＰＳ部、１４……表示部、１５……操作ＳＷ部、Ａ……ビデオ信号入出力回路、Ｂ……ビデオＩＯ回路
【図１】
2007074203.tif 000003
【図２】
2007074203.tif 000004
【図３】
2007074203.tif 000005
【図４】
2007074203.tif 000006
【図５】
2007074203.tif 000007
【図６】
2007074203.tif 000008
【図７】
2007074203.tif 000009
【図８】
2007074203.tif 000010